(57)【要約】【課題】従来、家屋の耐震構造は、壁に筋交いを入れているが、地震時の強力な破壊力に耐えられず、倒壊する。また、近年、金属構造のものがあるが、地震の衝撃に耐えきれず、溶接部が外れて効力を失う。そのため、家屋の損傷は大きく、ついには倒壊する。【解決手段】溶接構造を１００％含まない、クッション性耐震構造を実現した。  これにより、最大の破壊力を伴う大地震でも、倒壊せず、強大地震エネルギーを効果的に吸收し、家屋の被害を最小限に留めることができる。  なお、本発明は、家屋のみならず、多層階のビル、高層住宅にも実施可能である。【選択図】図１
2017203363.tif 000002
【特許請求の範囲】
【請求項１】
長板の中間部を丸み状に折り曲げて角部弾性体を形成し、該角部弾性体を柱と梁、柱と基礎の角に当て、ボルトや基礎ボルトを通し、反対側に当て板を当ててＷナットで固定したことを特徴とする家屋のクッション性耐震構造。
【請求項２】
角部弾性体の丸み部分に接する弾性管を形成し、該弾性管を角部弾性体と一体に取り付け、弾性管が対角状に交差する所に、中心弾性管を配置し、該中心弾性管と角部弾性体に取り付けた弾性円管をロッドで交差状に結び、Ｗナットを締めてロッドを緊張したことを特徴とする請求項１記載の家屋のクッション性耐震構造。
【請求項３】
厚めの長板をおむすび型に形成し、下端は相対して丸み状に折り曲げ、該先端は、水平部を形成し、該水平部は基礎ボルト、丸み状の上部は柱に当ててボルトを通し、反対側に当て板を当ててＷナットで固定し、また、最上部は隙間調整用ライナーを介して梁に取り付けたことを特徴とする家屋のクッション性耐震構造。
【請求項４】
窓を大きくするため、大円形弾性体と大楕円弾性体を形成したことを特徴とする、請求項１記載の家屋のクッション性耐震構造。
【請求項５】
角壁弾性体、弾性管、当て板、中心弾性管、おむすび型、大円径弾性体、大楕円弾性体は柱や梁よりやや小巾に形成することを特徴とする請求項１から４の家屋のクッション性耐震構造。
【発明の詳細な説明】
【技術分野】
【０００１】  本発明は、家屋のクッション性耐震構造に関する。
【背景技術】
【０００２】  従来、家屋の耐震構造は、壁に筋交いを入れているが、地震時の強力な破壊力に耐えられず、倒壊する。また、近年、金属構造のものがあるが、地震の衝撃に耐えきれず、溶接部が外れて効力を失う。そのため、家屋の損傷は大きく、ついには倒壊する。
【先行技術文献】
【特許文献】
【０００３】
【特許文献】  特許第５７７０９２３号公報
【発明の概要】
【発明が解決しようとする課題】
【０００４】  本発明は、強大な地しんエネルギーを効果的に吸收し、家屋の被害を最小限に止めることを目的とする。
【課題を解決するための手段】
【０００５】  実施例１の図１から図３は、平屋における実施例で、長板の中間部を丸み状に折曲げて角部弾性体を形成し、また、該角部弾性体の丸み部分に接する弾性管を形成し、而して、角部弾性体を柱と梁、柱と基礎の角に当てると共に該角部弾性体に弾性管を当てて、ボルトや基礎ボルトを通し、反対側には当て板を当ててＷナットで固定し、また、弾性管が対角状に交差する所に、中心弾性管を配置し、該中心弾性管と各角部の弾性管をロッドで、交差状に結び、Ｗナットを締めてロットを緊張したものである。【０００６】  実施例２の図４と図５は、体育館等の屋根裏への取り付け例で、軽量化するため、中心弾性管を設けずに、ロッドを四隅の弾性管で緊張したものである。【０００７】  実施例３の図６は、厚めの長板をおむすび型に形成し、下端は相対して丸み状に折曲げ、該先端は、水平部を形成し、該水平部は基礎ボルト、丸み状の上部は柱に当ててボルトを通し、反対側に当て板を当ててＷナットで固定し、また最上部は隙間調整用のライナーを介して梁に取り付けたものである。【０００８】  実施例４の図７から図１０は、２階屋における実施例で、各間口に耐震構造を実施し、地震時、最小限の被害に留まるようにしたものであるが、大円形と大楕円弾性体は、窓を大きくするために形成したもので、接合部は図８と図９のようにリベット締めし、且、厚めの長板で形成し、強性強度を保つようにしたものである。
図１０は、両側面の実施例で、強大地震でも十分に耐える構造にしたものである。【０００９】  以上において、本発明の防震構造は、正面、裏面、両側面の壁のみならず、室内の間仕切り壁にも実施し、地震時の強大エネルギーをゆるかに吸收し、家屋の被害を最小限に留めるようにする。
また、防震構造は、柱や梁よりやや小巾に形成すれば、壁の両側から壁板を打ちつけられ、その上から壁塗りやクロスを貼ることができ、家の内外を優美に仕上げることができると共に多重の地震対策を実施した家屋に安心して住むことができる。【００１０】  本発明を構成する角用弾性体、弾性管、中心弾性管、ロッド、おむすび型、大円形、大楕円形弾性体は、弾性、且、強じん性に富んだ材料で形成し、ボルトナット、基礎ボルトナットは高鋼張力ボルトナットを使用する。
なお、以上の部品は、壁内に取り付けられ、家屋の寿命がある限り
2017203363.tif 000003
がよく、弾性管と中心弾性管はステンレス鋼管を使用してもよい。
【発明の作用】
【００１１】  実施例１の図１から図３は、問口の各角に角用弾性体を当てたので、これ自体耐震効果がある。
更に、角用弾性体の弾性に、角用弾性体に取り付けた弾性管とロッド、ロッドの中間に介在した中心弾性管の弾性作用が加はるので、大地震であっても、強大な地震エレルギーを吸收し、地震の被害を最小限に留めることができる。
【００１２】  実施例２の図４と図５は、体育館等の天井裏に取り付けたので、地震時、天井のゆがみをゆるやかに防止することができる。
【００１２】  実施例３の図６は、おむすび型に形成したので、地震エネルギーを効果的に吸收することができる。
【００１３】  実施例４の図７から図１０は、２階屋に実施したので、２階屋でも、大地震時、最小限の被害に留めることができる。
【発明の効果】
【００１４】  以上のように、本発明は、角用弾性体、弾性管、ボルトナット、基礎ボルトナット、中心円管、ロッド、おむすび型等のすべての耐震構造は弾力性でじん性に富んだ材料で形成し、溶接部分は一切ないので、最大の破壊力を伴う大地震でも、倒壊せず、強大地震エネルギーを効果的に吸收し、家屋の被害を最小限に留めることができる。
【００１５】  なお、本発明は、家屋のみならず、多層階のビル、高層住宅にも実施可能である。
【図面の簡単な説明】
【００１６】実施例１【図１】正面図
【図２】図１Ａ部の拡大面図
【図３】図２の左側面図実施例２【図４】体育館の屋根の図
【図５】図４の裏面図実施例３【図６】正面図実施例４【図７】２階屋の正面図
【図８】大円形の拡大正面図
【図９】大楕円形の拡大正面図
【図１０】図７の右側面図
【発明を実施するための形態】
【００１７】  実施例１の図１から図３は、耐震構造を平家に実施した場合で、１は間口の各角部に取り付ける角部弾性体で、長板の中間部を丸み状に折曲げて形成している。２は角部弾性体１の丸み部分に接する弾性管で、角部弾性体１の間口の各角に配置した後、該角部弾性体１の丸み部分に弾性管２を当て、ボルト４や基礎ボルト５に通し、反対側に当て板３を当て、Ｗナット６で固定している。
また、７は各弾性管２が対角状に交差する所の中心に配置した中心弾性管で、該中心弾性管７と各弾性管２をロッド８で交差状に結び、Ｗナット６を締めてロット８を緊張している。
【００１８】  実施例２の図４と図５は、体育館の屋根裏に取り付けた場合て、ロッド８は四隅の弾性管２で緊張している。
【００１９】  実施例３の図６の９はおむすび型弾性体で、下部水平部は基礎ボルト５に、曲り部の上部は柱に当て板３を当てて取り付けている。
１０はライナーで、おむすび型弾性体９と梁との間に詰めている。
【００２０】  実施例４の図７から図１０は、２階屋に実施した場合で、窓を大きくするため、厚めの長板で、大円形と大楕円形の弾性体を形成し、間口に取り付けている。
【符号の説明】
【００２１】  １    角部弾性体
２    弾性管
３    当て板
４    ボルト
５    基礎ボルト
６    Ｗナット
７    中心弾性管
８    ロッド
９    おむすび型
１０  ライナー
１１  大円径弾性体
１２  大楕円弾性体
【図１】
2017203363.tif 000004
【図２】
2017203363.tif 000005
【図３】
2017203363.tif 000006
【図４】
2017203363.tif 000007
【図５】
2017203363.tif 000008
【図６】
2017203363.tif 000009
【図７】
2017203363.tif 000010
【図８】
2017203363.tif 000011
【図９】
2017203363.tif 000012
【図１０】
2017203363.tif 000013
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
長板の中間部を丸み状に折曲げた、角部弾性体の丸み部分に接する弾性管を形成し、角部弾性体を柱と梁の角に当てると共に該角部弾性体に弾性管を当ててボルトを通し、反対側には当て板を当ててＷナットで固定し、柱と基礎の角にも角部弾性体を当て、該角部弾性体に弾性管を当てて、柱側はボルトを通し、当板を介してＷナットで固定し、基礎側は基礎ボルトを通してＷナットで固定し、また、弾性管が対角状に交差する所に、中心弾性管を配置し、該中心弾性管と角部弾性体に取り付けた弾性管をロッドで交差状に結び、Ｗナットを締めてロッドを緊張したことを特徴とする家屋のクッション性耐震構造。
【請求項２】
厚めの長板をおむすび型に形成し、両下部は柱と基礎に接するように丸み状に折曲げ、下部の水平部分は基礎ボルトに、Ｗナットで固定し、柱に当る部分は、反対側に当て板を当ててボルトを通し、Ｗナットで固定し、また、最上部は隙間調整用ライナーを介して梁に取り付けたことを特徴とする家屋のクッション性耐震構造。
【請求項３】
窓を大きくするため、前記中心弾性管として、大径にした大円径弾性体、または、大楕円弾性体を形成したことを特徴とする請求項１記載の家屋のクッション性耐震構造。
【請求項４】
請求項１と３記載の角部弾性体、弾性管、当て板、中心弾性管、または、請求項２記載のおむすび型を柱や梁よりやや小巾に形成したことを特徴とする請求項１から３のいずれかに記載の家屋のクッション性耐震構造。
【手続補正２】
【補正対象書類名】図面
【補正対象項目名】図６
【補正方法】変更
【補正の内容】
【図６】
2017203363.tif 000014
【手続補正３】
【補正対象書類名】明細書
【補正対象項目名】００１０
【補正方法】変更
【補正の内容】
【００１０】  本発明を構成する角部弾性体、弾性管、中心弾性管、ロッド、おむすび型、大円形、大楕円形弾性体は、弾性、且、強じん性に富んだ材料で形成し、ボルトナット、基礎ボルトナットは高鋼張力ボルトナットを使用する。
なお、以上の部品は、壁内に取り付けられ、家屋の寿命がある限り密閉状態のままで、点検し難いので、錆びないステンレス材、棒鋼がよく、弾性管と中心弾性管はステンレス鋼管を使用してもよい。
【手続補正書】
【提出日】平成29年3月5日(2017.3.5)
【手続補正１】
【補正対象書類名】特許請求の範囲
【補正対象項目名】全文
【補正方法】変更
【補正の内容】
【特許請求の範囲】
【請求項１】
長板の中間部を丸み状に折曲げた、角部弾性体の丸み部分に接する弾性管を形成し、角部弾性体を柱と梁の角に当てると共に該角部弾性体に弾性管を当ててボルトを通し、反対側には当て板を当ててＷナットで固定し、柱と基礎の角にも角部弾性体を当て、該角部弾性体に弾性管を当てて、柱側はボルトを通し、当て板を介してＷナットで固定し、基礎側は基礎ボルトを通してＷナットで固定し、また、弾性管が対角状に交差する所に、中心弾性管を配置し、該中心弾性管と角部弾性体に取り付けた弾性管をロッドで交差状に結び、Ｗナットを締めてロッドを緊張したことを特徴とする家屋のクッション性耐震構造。
【請求項２】
厚めの長板をおむすび型に形成し、両下部は柱と基礎に接するように丸み状に折曲げ、下部の水平部分は基礎ボルトに、Ｗナットで固定し、柱に当る部分は、反対側に当て板を当ててボルトを通し、Ｗナットで固定し、また最上部は隙間調整用ライナーを介して梁に取り付けたことを特徴とする家屋のクッション性耐震構造。
【請求項３】
窓を大きくするため、前記中心弾性管として、大径にした大円径弾性体、または、大楕円弾性体を形成したことを特徴とする請求項１記載の家屋のクッション性耐震構造。
【請求項４】
請求項１記載の角部弾性体、弾性管、当て板、中心弾性管、または、請求項２記載のおむすび型の長板、当て板を柱や梁よりやや小巾に形成したことを特徴とする請求項１から３のいずれかに記載の家屋のクッション性耐震構造。